(57)【要約】      （修正有）【課題】マルチモード通信ユーザ端末（ＵＴ）に無線ネットワークアクセスパラメータを配信するシステムおよび方法を提供する。【解決手段】ＵＴおよび第１通信ネットワークの間のリンクを確立することと、第１ネットワークを介してパラメータサーバにアクセスすることと、無線の第２通信ネットワークに関するアクセスパラメータをダウンロードすることと、ＵＴおよび第２通信ネットワークの間の無線リンクを確立するためにダウンロードされるアクセスパラメータを利用することとを備える。ダウンロードされるアクセスパラメータは、セキュリティキー、サービスセット識別子（ＳＳＩＤ）、トラヒックチャネル割り当て、ならびに送信電力、サービス品質（ＱｏＳ）設定、および動作モードを含む最適化パラメータ等の情報を含む。【選択図】図１
2014096801.tif 000002
【特許請求の範囲】
【請求項１】
マルチモード通信ユーザ端末（ＵＴ）に、無線ネットワークアクセスパラメータを配信する方法であって、
ＵＴおよび第１通信ネットワークの間のリンクを確立することと、
前記第１ネットワークを介してパラメータサーバにアクセスすることと、
無線の第２通信ネットワークに関するアクセスパラメータをダウンロードすることと、
前記ＵＴおよび前記第２通信ネットワークの間の無線リンクを確立するために前記ダウンロードされたアクセスパラメータを利用することと、
を備える、方法。
【請求項２】
前記第２通信ネットワークに関するアクセスパラメータをダウンロードすることが、セキュリティキー、サービスセット識別子（ＳＳＩＤ）、トラヒックチャネル割り当て、有線同等プライバシー（ＷＥＰ）設定データ、ならびに送信電力、受信電力、転送速度、サービス品質（ＱｏＳ）設定、および動作モードを含む最適化パラメータから成る群から選択される情報をダウンロードすることを含む、請求項１に記載の方法。
【請求項３】
前記ＵＴおよび前記第１通信ネットワークの間の前記リンクを確立することが、イーサネット、ＩＥＥＥ８０２．１１、ＩＥＥＥ８０２．１５、ブルートゥース、ＷｉＭａｘ、および携帯電話ネットワークから成る群から選択される第１通信ネットワークへのリンクを確立することを含む、請求項１に記載の方法。
【請求項４】
前記ＵＴおよび前記第２通信ネットワークの間の前記リンクを確立することが、ＩＥＥＥ８０２．１１、ブルートゥース、ＷｉＭａｘ、ＩＥＥＥ８０２．１５、および携帯電話ネットワークから成る群から選択される第２通信ネットワークへのリンクを確立することを含む、請求項１に記載の方法。
【請求項５】
前記第１通信ネットワークを介して前記パラメータサーバにアクセスすることが、
第２ネットワークベース端末に関連付けられる媒体アクセスコントローラ（ＭＡＣ）アドレスを供給することと、
前記ＭＡＣアドレスを前記ベース端末にアクセスするために必要なパラメータと相互参照するデータベースにアクセスすることとを含む、請求項１に記載の方法。
【請求項６】
前記第１通信ネットワークを介して前記パラメータサーバにアクセスすることが、
前記ＵＴに関連付けられる識別（ＩＤ）を供給することと、
前記ＵＴのＩＤをＱｏＳ、ＩＰアドレス、ゲートウェイ情報、サブネットマスク、ドメイン名サーバ（ＤＮＳ）情報、および地理的位置から成る群から選択されるパラメータと相互参照するデータベースにアクセスすることとを含む、請求項１に記載の方法。
【請求項７】
前記ＵＴおよび前記第１通信ネットワークの間に前記リンクを確立することが、携帯電話ネットワークとのリンクを確立することを含み、
前記第２通信ネットワークに関するアクセスパラメータをダウンロードすることが、ＩＥＥＥ８０２．１１、ブルートゥース、ＷｉＭａｘ、およびＩＥＥＥ８０２．１５ネットワークから成る群から選択される第２ネットワークに関するセキュリティキーをダウンロードすることを含み、
前記ＵＴおよび前記第２通信ネットワークの間の無線リンクを確立するために前記ダウンロードされたアクセスパラメータを利用することが、前記ＵＴおよび第２ネットワークの間のリンクを確立するために前記セキュリティキーを利用することを含む、請求項１に記載の方法。
【請求項８】
前記ＵＴおよび前記第１通信ネットワークの間の前記リンクを確立することが、携帯電話ネットワークとのリンクを確立することを含み、
前記第２通信ネットワークに関するアクセスパラメータをダウンロードすることが、ＩＥＥＥ８０２．１１ネットワークに関するセキュリティキーをダウンロードすることを含み、
前記ＵＴおよび前記第２通信ネットワークの間の無線リンクを確立するために前記ダウンロードされたアクセスパラメータを利用することが、前記ＵＴおよびＩＥＥＥ８０２．１１アクセスポイント（ＡＰ）の間のリンクを確立するために前記セキュリティキーを利用することを含む、請求項１に記載の方法。
【請求項９】
前記ＩＥＥＥ８０２．１１ネットワークをモニタリングすることと、
ＡＰに関連付けられるＭＡＣアドレスおよびネットワークＩＤを検出することとをさらに備え、
前記携帯電話ネットワークを介して前記パラメータサーバにアクセスすることが、前記パラメータサーバに前記ＡＰのＭＡＣアドレスおよびネットワークＩＤを供給することを含み、
前記ＩＥＥＥ８０２．１１ネットワークに関するセキュリティキーをダウンロードすることが、前記モニタリングされるＡＰに関連付けられるセキュリティキーをダウンロードすることを含む、請求項８に記載の方法。
【請求項１０】
前記ＵＴおよび前記第１通信ネットワークの間の前記リンクを確立することが、携帯電話とのリンクを確立することを含み、
前記方法が、
前記ＵＴが前記携帯電話ネットワークとのリンクを確立することに応じてＵＴ加入者識別を検証することとをさらに備え、
前記第２通信ネットワークに関するアクセスパラメータをダウンロードすることが、前記ＵＴ加入者識別を検証することに応じてアクセスパラメータをダウンロードすることを含む、請求項１に記載の方法。
【請求項１１】
前記ＵＴ加入者識別を検証することに応じてアクセスパラメータをダウンロードすることが、携帯電話ネットワークデータバーストチャネル、携帯電話ネットワークショートメッセージサービス（ＳＭＳ）チャネル、および携帯電話ネットワークＵＴ終端データ呼び出しから成る群から選択されるチャネルを介してアクセスパラメータをダウンロードすることを含む、請求項１０に記載の方法。
【請求項１２】
マルチモード通信ユーザ端末（ＵＴ）に、無線ネットワークアクセスパラメータを配信するシステムであって、
ＵＴおよび第１通信ネットワークの間のリンクを確立し、前記第１ネットワークを介してパラメータサーバにアクセスし、第２通信ネットワークに関するアクセスパラメータをダウンロードするための第１サブシステムと、
前記第１サブシステムにダウンロードされる前記アクセスパラメータを利用して前記ＵＴおよび前記第２通信ネットワークの間の無線通信リンクを確立するための第２サブシステムと、
を備える、システム。
【請求項１３】
前記第１サブシステムが、セキュリティキー、サービスセット識別子（ＳＳＩＤ）、トラヒックチャネル割り当て、ならびに送信電力、受信電力、転送速度、サービス品質（ＱｏＳ）設定、有線同等プライバシー（ＷＥＰ）設定データ、および動作モードを含む最適化パラメータから成る群から選択される、前記第２通信ネットワークに関するアクセスパラメータをダウンロードする、請求項１２に記載のシステム。
【請求項１４】
前記第１サブシステムが、イーサネット、ＩＥＥＥ８０２．１１、ＩＥＥＥ８０２．１５、ブルートゥース、ＷｉＭａｘ、および携帯電話ネットワークから成る群から選択される第１通信ネットワークへのリンクを確立する、請求項１２に記載のシステム。
【請求項１５】
前記第２サブシステムが、ＩＥＥＥ８０２．１１、ブルートゥース、ＷｉＭａｘ、ＩＥＥＥ８０２．１５、および携帯電話ネットワークから成る群から選択される第２通信ネットワークへのリンクを確立する、請求項１２に記載のシステム。
【請求項１６】
前記第１サブシステムが、第２通信ネットワークベース端末に関連付けられる媒体アクセスコントローラ（ＭＡＣ）アドレスを供給することによって前記パラメータサーバにアクセスし、前記ＭＡＣアドレスを前記ベース端末にアクセスするために必要なパラメータと相互参照するデータベースにアクセスする、請求項１２に記載のシステム。
【請求項１７】
前記第１サブシステムが、前記ＵＴに関連付けられる識別（ＩＤ）を供給することによって前記パラメータサーバにアクセスし、前記ＵＴのＩＤをＱｏＳ、ＩＰアドレス、ゲートウェイ情報、サブネットマスク、ドメイン名サーバ（ＤＮＳ）情報、および地理的位置から成る群から選択されるパラメータと相互参照するデータベースにアクセスする、請求項１２に記載のシステム。
【請求項１８】
前記第１サブシステムが、前記第２通信ネットワークに関するセキュリティキーをダウンロードする、携帯電話ネットワークとのリンクを確立するための携帯電話サブシステムであり、
前記第２サブシステムが、前記ＵＴと、ＩＥＥＥ８０２．１１、ブルートゥース、ＷｉＭａｘ、およびＩＥＥＥ８０２．１５ネットワークから成る群から選択される第２ネットワークとの間のリンクを確立するために前記セキュリティキーを利用する、請求項１２に記載のシステム。
【請求項１９】
前記第１サブシステムが、ＩＥＥＥ８０２．１１ネットワークに関するセキュリティキーをダウンロードする、携帯電話ネットワークとのリンクを確立するための携帯電話サブシステムであり、
前記第２サブシステムが、ＩＥＥＥ８０２．１１アクセスポイント（ＡＰ）とのリンクを確立するために前記セキュリティキーを利用する無線ローカルエリアネットワーク（ＷＬＡＮ）サブシステムである、請求項１２に記載のシステム。
【請求項２０】
前記ＷＬＡＮサブシステムが、ＩＥＥＥ８０２．１１ネットワークをモニタリングし、ＡＰに関連付けられるＭＡＣアドレスおよびネットワークＩＤを検出し、
前記携帯電話サブシステムが、前記携帯電話ネットワークを介して前記パラメータサーバに前記ＡＰのＭＡＣアドレスおよびネットワークＩＤを供給し、前記モニタリングされるＡＰに関連付けられるセキュリティキーをダウンロードする、請求項１９に記載のシステム。
【請求項２１】
前記第１サブシステムが、無線携帯電話ネットワークであり、前記携帯電話サブシステムが、ＵＴ加入者識別の検証に応じて前記第２通信ネットワークに関するアクセスパラメータをダウンロードする、請求項１２に記載のシステム。
【請求項２２】
前記携帯電話サブシステムが、携帯電話ネットワークデータバーストチャネル、携帯電話ネットワークショートメッセージサービス（ＳＭＳ）チャネル、および携帯電話ネットワークＵＴ終端データ呼び出しから成る群から選択されるチャネルを介して、ＵＴ加入者識別の検証されたアクセスパラメータをダウンロードする、請求項２１に記載のシステム。
【請求項２３】
無線ネットワークアクセスパラメータを配信するシステムであって、
マルチモードユーザ端末（ＵＴ）と、なお該マルチモードユーザ端末（ＵＴ）は、
前記ＵＴおよび第１通信ネットワークの間のリンクを確立し、第２通信ネットワークに関するアクセスパラメータをダウンロードするための第１サブシステムと、
前記第１サブシステムにダウンロードされる前記アクセスパラメータを利用して、前記ＵＴおよび前記第２通信ネットワークの間の無線通信リンクを確立するための第２サブシステムとを含み、
第２ネットワークアクセスパラメータを供給するために前記第１ネットワークに接続されるインタフェースを有するパラメータサーバと、
を含む、システム。
【発明の詳細な説明】
【技術分野】
【０００１】
［本発明の背景］
本発明の分野
本発明は、一般に無線通信に関し、より詳細には、異なる通信ネットワークを介してユーザ端末に関して取得される、無線通信ネットワークに対するアクセスパラメータ(access parameter)を提供するシステムおよび方法に関する。
【０００２】
関連する技術の記載
従来式の無線ローカルエリアネットワーク（ＷＬＡＮ;Wireless Local Area Network）は、通常、インターネットプロトコル（ＩＰ）ネットワークに配線接続されたアクセスポイント（ＡＰ;Access Point）を含む。ノート型コンピュータ、携帯情報端末（ＰＤＡ;Personal Digital Assistant）、またはマルチモード携帯電話（multi - mode cellular telephone）等の移動体ユーザ端末（ＵＴｓ；user terminals）は、ＡＰと無線で通信する。有線ＬＡＮ（ＩＰネットワーク）と無線ＬＡＮとの間のブリッジ等のＡＰ機能は、ＵＴｓがインターネットを介して通信することを可能にする。ＷＬＡＮｓは、一般に、最長約１００フィートの距離まで、ＵＴがＡＰと通信することを可能にするＩＥＥＥ８０２．１５およびブルートゥース(Bluetooth(登録商標)）に準拠する。ＷＬＡＮｓは、一般に、ＵＴがＡＰから約５００フィートの距離にまで及ぶことを可能にするＩＥＥＥ８０２．１１に準拠する。
【０００３】
それゆえに、動作中の通信を保持するために、ＵＴは新規のＷＬＡＮ、または同じＷＬＡＮ内の別のＡＰにアクセスする必要があり得る。これを達成するために、ＵＴは、通常、サービス要求エリアおよびそれらのＡＰｓに基づいて、ＷＬＡＮアクセス情報の変更を要求する。実際問題として、その場でＷＬＡＮにアクセスするＵＴの能力は、ＷＬＡＮのサービス可能な領域およびサービスの保証を制限する。
【０００４】
このアクセス問題の１つの従来的な解決方法は、ＷＬＡＮユーザの場合、彼らの自宅、会社、および地元の喫茶店等のいくつかの頻繁に利用するサービスエリアに関連するＷＬＡＮアクセス情報を手動で彼らのＵＴｓに入力することである。このＷＬＡＮアクセス情報は、ＷＬＡＮに関連するＡＰ設定情報およびＴＣＰ／ＩＰ関連情報を含み得る。ユーザが１つのエリアから別のエリアに移動する場合、彼らは、ＵＴのメモリからこの予めロードされた登録情報を選択し、近接のＡＰに登録するためにそれを利用することが可能である。
【０００５】
例えば、ＵＴには、アクセス可能とされ得る異なるＷＬＡＮに関する登録地域情報が予めロードされてよい。ＵＴに登録されたこの地域情報は、地域ＡＰｓに利用するＡＰ設定情報およびこれらＡＰｓにアクセスするために適合されたあらゆるＵＴのネットワーク設定情報を含む。使用時、ＷＬＡＮアクセス登録情報は、ＵＴのディスプレイに表示されてもよいし、または情報の表示がアイコンとして表示されてもよい。ユーザインターフェースディスプレイによって、ユーザが現在位置する地域に関連するＷＬＡＮアクセス情報の特定のセットをユーザが選択することが可能になる。
【０００６】
この予めロードされた登録情報の方法では、ユーザが一から登録情報を手動で入力する必要性がなくなるが、ユーザがデータを予めロードするステップを経由する必要がある点で不都合であり、さらに、ユーザが登録情報を手動で選択するステップを実行する必要がある点で不都合である。さらに、この方法は、登録情報が予めロードされていないＡＰまたはＷＬＡＮにユーザがアクセスする必要があっても、それを支援することはない。さらに、たとえユーザが登録情報を予めロードしたいと思っても、この方法は、携帯型デバイスでの制限を受けやすいメモリリソースを利用している。
【０００７】
手動で登録情報を入力すること、またはＵＴの永久メモリに登録情報を保持することの必要なしに、ＵＴが無線ネットワークに自動的にアクセス可能であるならば、有用であろう。
【発明の概要】
【０００８】
［本発明の概要］
ＷＬＡＮのホットスポット（ＡＰ）を利用するために、無線ユーザは設定パスワード等の関連する登録情報を有する必要がある。手動で登録情報を入力すること、またはＵＴに登録情報を予めロードすることの代わりに、本発明は、必要とされる登録情報を提供するために、代替通信ネットワークからアクセスされ得るアクセス情報のデーターベースを説明する。
【０００９】
ＵＴがＡＰに非常に近接する場合、そのＡＰに関連付けられた媒体アクセスコントローラ（ＭＡＣ;Media Access Controller）アドレスおよびネットワーク識別（ＩＤ;identification）を検出し得る。ＵＴは、次に、ＵＴがＡＰにアクセスするために必要な登録情報を供給するアクセスパラメータデータベース（パラメータサーバ（parameters server））に要求をする。登録情報は、セキュリティキーを含んでよい。セキュリティキー情報は、中央管理機関(central repository)に保持される場合に保持および更新が非常に容易である。ＵＴは、登録情報を永久に記憶する負担を負わない。さらに、アクセスプロセスのセキュリティは、アクセスパラメータデータベースと通信するのに利用されるリンクを介して保持される。例えば、携帯電話ネットワークセキュリティ手順(cellular network security procedure)は、効果的でもありかつ充分に確立されてもいる。ＵＴが携帯電話ネットワーク（cellular network(セルラー方式ネットワーク)）を介してアクセスパラメータデータベースと通信する場合、ＷＬＡＮセキュリティキーは、危険にさらされる可能性が低い。
【００１０】
従って、マルチモード通信ＵＴに無線ネットワークアクセスパラメータを配信する方法が提供されている。この方法は、ＵＴおよび第１通信ネットワーク（即ち、携帯電話ネットワーク(cellular network)）の間のリンクを確立することと、第１ネットワークを介してパラメータサーバにアクセスすることと、無線の第２通信ネットワーク（即ち、ＷＬＡＮ）に関するアクセスパラメータをダウンロードすることと、ＵＴおよび第２通信ネットワークの間の無線リンクを確立するためにダウンロードされたアクセスパラメータを利用することとを備える。
【００１１】
ダウンロードされたアクセスパラメータは、セキュリティキー、サービスセット識別子（ＳＳＩＤ;Service Set Identifier）、トラヒックチャネル割り当て、ならびに送信電力、サービス品質（ＱｏＳ;quality of service）設定、および動作モードを含む最適化パラメータ等のＷＬＡＮ  ＡＰと関連付けられた情報を含んでよい。代替的に、第１通信ネットワークを介してパラメータサーバにアクセスすることは、ＵＴに関連付けられたＩＤを供給することと、ＵＴのＩＤをＱｏＳ、ＩＰアドレス、ゲートウェイ情報、サブネットマスク(subnet mask)、ドメイン名サーバ（ＤＮＳ;Domain Name Server）情報、または地理的位置等のパラメータと相互参照するデータベースにアクセスすることとを含む。
【００１２】
無線ネットワークアクセスパラメータを配信する上述された方法およびシステムのさらなる態様は、以下でより詳細が提供される。
【図面の簡単な説明】
【００１３】
【図１】無線ネットワークアクセスパラメータを配信するシステムの概略的なブロック図である。
【図２】例示的なパラメータサーバを示す概略的なブロック図である。
【図３】図１のシステムの特定の実施形態を示す概略図である。
【図４】マルチモード通信ＵＴで無線アクセスパラメータを配信する方法を示すフローチャートである。
【図５】マルチモード通信ＵＴでＩＥＥＥ８０２．１１アクセスパラメータを配信する方法を示すフローチャートである。
【発明を実施するための形態】
【００１４】
［詳細な記載］
図１は、無線ネットワークアクセスパラメータを配信するシステムの概略的なブロック図である。システム１００は、マルチモードユーザ端末（ＵＴ）１０２を備える。ＵＴ１０２は、ＵＴ１０２および第１通信ネットワーク１０８の間のリンク１０６をリンク１０６を確立するため、および第２通信ネットワーク１１０に関するアクセスパラメータアクセスパラメータをダウンロードするための第１サブシステム１０４を備える。第１サブシステム１０４は、通信分野の当業者には明らかなように、トランシーバ、復調／変調、および処理回路（図示せず）を利用することが可能になっている。第２サブシステム１１２は、第１サブシステム１０４にダウンロードされるアクセスパラメータを用いて、ＵＴ１０２および第２通信ネットワーク１１０の間の無線通信リンク１１４を確立する。この場合も同様に、第２システム１１２は、トランシーバ、復調／変調、および処理回路（図示せず）等の構成要素を含む。さらに、第１および第２サブシステム１０４／１１２は、論理処理回路およびメモリ（図示せず）を共有し得る。
【００１５】
パラメータサーバ(parameter server)１１６は、第２ネットワークアクセスパラメータを提供するために、ライン１１８で第１ネットワーク１０８に接続されるインターフェースを有する。一態様では、第１サブシステム１０４は、第２ネットワーク無線端末１２０に関連付けられた第２通信ネットワーク１１０に関するアクセスパラメータをダウンロードする。例えば、第１サブシステム１０４は、第２通信ネットワークベース端末１２０に関連付けられたＭＡＣアドレスまたはネットワークＩＤを供給することによって、パラメータサーバ１１６にアクセスし得る。このＭＡＣアドレス情報は、第２サブシステム１１２がブロードキャスト信号に関する通信帯域をモニタリングし、モニタリングによって捕捉された情報を第１サブシステム１０４に中継する従来式のプロセスで必要な情報である。次に、第１サブシステム１０４は、パラメータサーバ１１６にアクセスし、ＭＡＣアドレスを、ベース端末１２０にアクセスするために必要なパラメータと相互参照する。代替的に、第１サブシステム１０４は、ベース端末１２０に関連付けられたＩＰアドレスを受信してもよく、このＩＰアドレス情報がベース端末１２０に関するアクセスパラメータと相互参照するために用いられる。
【００１６】
図２は、例示的なパラメータサーバを示す概略的なブロック図である。ダウンロードされ得る情報の種類のいくつかの例は、セキュリティキー、サービスセット識別子（ＳＳＩＤ；Service Set IDentifier）、トラヒックチャネル割り当て、有線同等プライバシー（ＷＥＰ；Wired Equivalent Privacy）設定データ、ならびに送信電力、受信電力、転送速度、サービス品質（ＱｏＳ；quality of service）設定、および動作モード等の最適化パラメータ（optimization parameter）を含む。このリストは、第２通信ネットワークおよびＵＴの間の通信ネットワークを迅速に確立するのに利用され得る考えられる全ての登録情報の可能な種類を限定的に網羅しようとするものではない。
【００１７】
別の態様では、第１サブシステムは、ＵＴに関連付けられる識別（ＩＤ）を供給することによってパラメータサーバにアクセスする。このパラメータサーバは、ＵＴのＩＤを、ＱｏＳ、ＩＰアドレス、ゲートウェイ情報、サブネットマスク(subnet mask)、ドメイン名サーバ（ＤＮＳ;Domain Name Server）情報、および地理的位置等のＵＴに関連付けられたパラメータと相互参照するファイルを含む。
【００１８】
図１に戻ると、第１通信ネットワーク１０８は、イーサネット（登録商標）、ＩＥＥＥ８０２．１１、ＩＥＥＥ８０２．１５、ブルートゥース、ＷｉＭａｘ、符号分割多元接続（ＣＤＭＡ）、移動体通信の広域システム（ＧＳＭ(登録商標);Global System for Mobile Communication）、または世界的移動体通信システム（ＵＭＴＳ;Universal Mobile Telecommunication System）携帯電話ネットワーク(cellular telephone network)であってよい。本発明は、これらの種類のネットワークだけに限定されないが、これらは、ＩＰネットワーク１２４を介してのパラメータサーバ１１６へのアクセスを獲得するためにマルチモードＵＴによって利用され得るネットワークの例である。なお、第１ネットワーク１０８は、必ずしも無線媒体を介してＵＴ１０２と通信する必要がない。即ち、リンク１０６は、配線されたリンクであってもよい。第２通信ネットワーク１１０は、ＩＥＥＥ８０２．１１、ブルートゥース(Bluetooth)、ＷｉＭａｘ、ＩＥＥＥ８０２．１５、または携帯電話ネットワークであってよい。これも可能なネットワークの限定的なリストではなく、そのＵＴによってアクセスパラメータが供給されるまで、ＵＴによって利用され得ないネットワークのいくつかの例である。
【００１９】
図３は、図１のシステムの特定の実施形態を示す概略図である。この例では、第１サブシステム１０４は、携帯電話ネットワーク１０８とリンク１０６を確立する携帯電話サブシステム（cellular subsystem）である。このリンクは、本明細書でＷＬＡＮと呼ばれる、ＩＥＥＥ８０２．１１、ブルートゥース、ＷｉＭａｘ、またはＩＥＥＥ８０２．１５ネットワークであり得る第２通信ネットワーク１１０に関するセキュリティキーをダウンロードするために利用される。ＷＬＡＮセキュリティキーは、例えば、６４または１２８ビットコードであってよい。携帯電話ネットワークのセキュリティ特性は、充分に確立されており、充分に堅固である。それゆえに、パラメータサーバ１１６へのアクセス、およびＷＬＡＮセキュリティキーの配信が制御されるとの前提が生じる。これと同じ前提は、他の安全性の低いネットワークがパラメータサーバ１１６へのアクセスを許可される場合、必ずしも有効でない。
【００２０】
例えば、第２ネットワーク１１０がＩＥＥＥ８０２．１１ネットワークである場合、ダウンロードされたセキュリティキーが８０２．１１ＡＰ１２０へのリンクを確立するために利用され得る。ＷＬＡＮサブシステム１１２は、ＩＥＥＥ８０２．１１ネットワーク１１０をモニタリングし、ＡＰ１２０に関連付けられたＭＡＣアドレスまたはネットワークＩＤ（あるいは両方）を検出する。携帯電話サブシステム１０２は、携帯電話ネットワーク１０８を介してパラメータサーバ１１６にＡＰのＭＡＣアドレスおよびネットワークＩＤを供給し、モニタリングされたＡＰ１２０に関連付けられたセキュリティキーをダウンロードする。
【００２１】
図１に戻ると、図示しない別の態様では、第２通信ネットワーク１０８が、携帯電話ネットワーク(cellular network)であってよい。この態様では、第１ネットワーク１０８（即ち、イーサネットまたはＷＬＡＮ）が識別情報（即ち、携帯電話サブシステム(cellular subsystem)１１２に関する加入者情報モジュールまたはＳＩＭをダウンロードするために利用され得る。別法では、電子シリアル番号（ＥＳＮ;Electronic Serial Number）が特定のデバイスまたはハードウェアを識別するための番号である。移動体機器ＩＤ（ＭＥＩＤ;Mobile Equipment ID）は、同様にデバイス識別子である。国際移動体加入者識別（ＩＭＳＩ;International Mobile Subscriber Identity）は、携帯電話ネットワークで加入者（電話番号）の識別子に利用される番号である。移動体識別番号（ＭＩＮ;Mobile Identity Number）は、北米ネットワークで以前に用いられ、その後にＩＭＳＩによって取って代わられた１０桁の番号である。他の種類の識別子は、それらがＵＴおよび携帯電話ネットワークの両方によって知られている限り、利用可能であり得る。この方法は、このプロセスがユーザによって自宅で実行され得るように、または電話会社のサービス設備で自動的に実行され得るように、識別子を標準装備しない携帯電話を初期化するために有用であろう。
【００２２】
システムの別態様では、ＵＴおよび第１ネットワークの間に確立された信頼が、ＵＴ加入者識別（UT subscriber identity）を確認するために利用され得る。第１ネットワークが携帯電話ネットワークである場合、携帯電話ネットワークセキュリティ手順は充分に開発されているので、高いレベルの信頼を確立することが可能である。第２ネットワークに関するアクセスパラメータは、携帯電話ネットワークでのＵＴ加入者識別の検証に基づいてダウンロードされ得る。
【００２３】
例えば、加入者は、携帯電話ネットワーク電話会社と契約することの結果として、移動体電話番号が割り当てられる。８０２．１１サービスは、ＷＬＡＮプロバイダによって市内の種々の場所に供給され得る。加入者がＷＬＡＮプロバイダと契約する場合、彼らは、ＷＬＡＮプロバイダがＷＬＡＮネットワークで加入者識別と相互参照するＵＴ移動体番号をＷＬＡＮプロバイダに与え得る。さらに、加入者がＷＬＡＮネットワークで新規のＡＰを獲得する必要がある場合、移動体番号は、その新規のＡＰに関するパラメータを取得する際にセキュリティ特性として利用され得る。
【００２４】
アクセス情報を供給する同じＷＬＡＮサーバが、ＵＴ加入者識別を認証するために携帯電話ネットワークを利用し得る。即ち、ＷＬＡＮサーバは、携帯電話ネットワーク加入に関連付けられる移動体電話番号を、アクセス情報を要求する人物の付加的な検証として利用し得る。ＷＬＡＮサーバは、情報を配信するために電話番号を用いてインデックス処理されたサービスを利用し得る。
【００２５】
例えば、ＷＬＡＮサーバは、移動体電話番号に電話をかけ、その電話に応答するユーザが実際の加入者であることを確認し得る。この検証は、アクセスパラメータを要求する音声電話に既に従事するデータ（データバースト）チャネル上で実行され得る。別の選択肢は、ショートメッセージサービス（ＳＭＳ；Short Message Service）チャネルを利用することである。ＷＬＡＮサーバは、加入者の移動体番号にＳＭＳでアクセスパラメータを送信し得る。第３の選択肢は、ＵＴへの移動体終端データ呼び出し（terminated data call）を実行するために携帯電話ネットワークデータサービスを利用することであってもよい。
【００２６】
［機能的な記載］
図４は、マルチモード通信ＵＴで無線ネットワークアクセスパラメータを配信する方法を図示するフローチャートである。この方法は、簡潔化のために、番号付けされた一連のステップで示されるが、この番号付けは必ずしもステップの順序を決定しない。これらのステップのうちのいくつかは省略されてもよいし、並行して実行されてもよいし、またはシーケンスの厳密な順序を維持することの要件なしに実行されてもよいことを理解するべきである。この方法は、ステップ４００で開始する。
【００２７】
ステップ４０２は、ＵＴおよび第１通信ネットワークの間のリンクを確立する。ステップ４０４は、第１ネットワークを介してパラメータサーバにアクセスする。ステップ４０６は、無線の第２通信ネットワークに関するアクセスパラメータをダウンロードする。ステップ４０８は、ＵＴおよび第２通信ネットワークの間の無線リンクを確立するために、ダウンロードされたアクセスパラメータを利用する。
【００２８】
一態様では、ステップ４０６で第２通信ネットワークに関するアクセスパラメータをダウンロードすることは、セキュリティキー、ＳＳＩＤ、トラヒックチャネル割り当て、ＷＥＰ設定情報、および最適化パラメータ等の情報をダウンロードすることを含む。最適化パラメータは、送信電力、受信電力、転送速度、ＱｏＳ設定、または動作モードを含んでよい。
【００２９】
別の態様では、ステップ４０２でＵＴおよび第１通信ネットワークの間にリンクを確立することは、イーサネット、ＩＥＥＥ８０２．１１、ＩＥＥＥ８０２．１５、ブルートゥース、ＷｉＭａｘ、または携帯電話ネットワーク等の第１通信ネットワークへのリンクを確立することを含む。別の態様では、ステップ４０８でＵＴおよび第２通信ネットワークの間にリンクを確立することは、ＩＥＥＥ８０２．１１、ブルートゥース、ＷｉＭａｘ、ＩＥＥＥ８０２．１５、または携帯電話ネットワーク等の第２通信ネットワークへのリンクを確立することを含む。
【００３０】
一態様では、ステップ４０４で第１通信ネットワークを介してパラメータサーバにアクセスすることは、サブステップを含む。ステップ４０４ａは、第２ネットワークベース端末に関連付けられるＭＡＣアドレスを供給する。ステップ４０４ｂは、ＭＡＣアドレスを、ベース端末にアクセスするために必要なパラメートと相互参照するデータベースにアクセスする。
【００３１】
別の態様では、ステップ４０４で第１通信ネットワークを介してパラメータサーバにアクセスすることは、代替的なサブステップを含む。ステップ４０４ｃは、ＵＴに関連付けられる識別（ＩＤ）を供給する。ステップ４０４ｄは、ＵＴのＩＤを、ＱｏＳ、ＩＰアドレス、ゲートウェイ情報、サブネットマスク、ＤＮＳ情報、および地理的位置等のパラメータと相互参照するデータベースにアクセスする。
【００３２】
一例では、ステップ４０２が、携帯電話ネットワークとリンクを確立し、ステップ４０６が、ＩＥＥＥ８０２．１１、ブルートゥース、ＷｉＭａｘ、またはＩＥＥＥ８０２．１５ネットワークのいずれかであり得る第２ネットワークに関するセキュリティキーをダウンロードする。次に、ステップ４０８が、ＵＴおよび第２ネットワークの間のリンクを確立するためにセキュリティキーを利用する。
【００３３】
一態様では、ステップ４０２でＵＴおよび第１通信ネットワークの間のリンクを確立することは、携帯電話ネットワークとリンクを確立することを含み、この方法はさらなるステップを備える。ステップ４０３は、ＵＴが携帯電話ネットワークとリンクを確立することに応じてＵＴ加入者識別を検証する。次に、ステップ４０６で第２通信ネットワークに関するアクセスパラメータをダウンロードすることは、ＵＴ加入者識別を検証することに応じてアクセスパラメータをダウンロードすることを含む。例えば、ステップ４０６は、携帯電話ネットワークデータバーストチャネル（databurst channel）、携帯電話ネットワークショートメッセージサービス（ＳＭＳ;Short Message Service）チャネル、または携帯電話ネットワークＵＴ終端データ呼び出し等のチャネルを介してアクセスパラメータをダウンロードし得る。これらのダウンロードプロセスの全ては、ＵＴおよび携帯電話ネットワークの間に確立された信頼に基づいて自動的にＵＴ加入者識別を検証する。
【００３４】
図５は、マルチモード通信ＵＴでＩＥＥＥ８０２．１１アクセスパラメータを配信する方法を示すフローチャートである。この例で、ステップ４０１ａは、ＩＥＥＥ８０２．１１ネットワークをモニタリングする。ステップ４０１ｂは、ＡＰに関連付けられたＭＡＣアドレスおよびネットワークＩＤを検出する。ステップ４０２は、ＵＴおよび携帯電話ネットワークの間のリンクを確立する。ステップ４０４は、携帯電話ネットワークを介してパラメータサーバにＡＰ  ＭＡＣアドレスおよびネットワークＩＤパラメータを供給する。ステップ４０６は、ＩＥＥＥ８０２．１１ネットワークでモニタリングされるＡＰに関するセキュリティキーをダウンロードし、ステップ４０８は、ＵＴおよびＩＥＥＥ８０２．１１アクセスポイント（ＡＰ）の間のリンクを確立するためにこのセキュリティキーを用いる。
【００３５】
マルチモード通信ＵＴに関連する無線ネットワークアクセスパラメータを配信するシステムおよび方法が提供される。特定のネットワークパラメータ、識別、およびセキュリティプロトコルの詳細は、本発明の説明を手助けするために示された。しかしながら、本発明は、これらの詳細だけに限定されない。当業者は、本発明の別の変形形態および実施形態を思い付くであろう。
【図１】
2014096801.tif 000003
【図２】
2014096801.tif 000004
【図３】
2014096801.tif 000005
【図４】
2014096801.tif 000006
【図５】
2014096801.tif 000007
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
方法であって、
ユーザ端末（ＵＴ）と第１の通信ネットワークとの間でリンクを確立することと、
前記第１の通信ネットワークとは異なるアクセスタイプかつ前記ＵＴがアクセス可能でない第２の通信ネットワークに対応する、少なくとも１つの識別子を検出することと、ここで、前記少なくとも１つの識別子は、前記第２の通信ネットワークの媒体アクセスコントロール（ＭＡＣ）アドレスを備える、
前記ＵＴと前記第１の通信ネットワークとの間で確立された信頼に基づいて、前記ＵＴの識別を確認することと、
前記第２の通信ネットワークに関し、前記第１の通信ネットワークを介して、前記第２の通信ネットワークの前記異なるアクセスタイプに対応するアクセスパラメータを、パラメータサーバからダウンロードすることであって、前記ＭＡＣアドレスを前記アクセスパラメータと相互参照するためのデータベースにアクセスすることにより、前記検出された少なくとも１つの識別子に基づいて、ダウンロードすることと、
前記ダウンロードされたアクセスパラメータを使用して、前記ＵＴと前記第２の通信ネットワークとの間でリンクを確立することと、
を備える、方法。
【請求項２】
前記第２の通信ネットワークに関しアクセスパラメータをダウンロードすることが、セキュリティキーと、サービスセット識別子（ＳＳＩＤ）と、トラヒックチャネル割り当てと、有線同等プライバシー（ＷＥＰ）設定データと、送信電力、受信電力、転送速度、サービス品質（ＱｏＳ）設定、および動作モードを含む最適化パラメータと、から成る群から選択される情報をダウンロードすることを含む、請求項１に記載の方法。
【請求項３】
前記ＵＴと前記第１の通信ネットワークとの間で前記リンクを確立することが、イーサネット（登録商標）、ＩＥＥＥ８０２．１１、ＩＥＥＥ８０２．１５、ブルートゥース、ＷｉＭａｘ、および携帯電話ネットワークから成る群から選択される、第１の通信ネットワークへのリンクを確立することを含む、請求項１に記載の方法。
【請求項４】
前記ＵＴと前記第２の通信ネットワークとの間で前記リンクを確立することが、ＩＥＥＥ８０２．１１、ブルートゥース、ＷｉＭａｘ、ＩＥＥＥ８０２．１５、および携帯電話ネットワークから成る群から選択される、第２の通信ネットワークへのリンクを確立することを含む、請求項１に記載の方法。
【請求項５】
装置であって、
ユーザ端末（ＵＴ）と第１の通信ネットワークとの間でリンクを確立するための手段と、
前記第１の通信ネットワークとは異なるアクセスタイプかつ前記ＵＴがアクセス可能でない第２の通信ネットワークに対応する、少なくとも１つの識別子を検出するための手段と、ここで、前記少なくとも１つの識別子は、前記第２の通信ネットワークの媒体アクセスコントロール（ＭＡＣ）アドレスを備える、
前記ＵＴと前記第１の通信ネットワークとの間で確立された信頼に基づいて、前記ＵＴの識別を確認するための手段と、
前記第２の通信ネットワークに関し、前記第１の通信ネットワークを介して、前記第２の通信ネットワークの前記異なるアクセスタイプに対応するアクセスパラメータを、パラメータサーバからダウンロードするための手段であって、前記ＭＡＣアドレスを前記アクセスパラメータと相互参照するためのデータベースにアクセスすることにより、前記検出された少なくとも１つの識別子に基づいて、ダウンロードするための手段と、
前記ダウンロードされたアクセスパラメータを使用して、前記ＵＴと前記第２の通信ネットワークとの間でリンクを確立するための手段と、
を備える、装置。
【請求項６】
セキュリティキーと、サービスセット識別子（ＳＳＩＤ）と、トラヒックチャネル割り当てと、有線同等プライバシー（ＷＥＰ）設定データと、送信電力、受信電力、転送速度、サービス品質（ＱｏＳ）設定、および動作モードを含む最適化パラメータと、から成る群から選択される情報をダウンロードするための手段をさらに備える、請求項５に記載のシステム。
【請求項７】
イーサネット、ＩＥＥＥ８０２．１１、ＩＥＥＥ８０２．１５、ブルートゥース、ＷｉＭａｘ、および携帯電話ネットワークから成る群から選択される、第１の通信ネットワークへのリンクを確立するための手段をさらに備える、請求項５に記載のシステム。
【請求項８】
ＩＥＥＥ８０２．１１、ブルートゥース、ＷｉＭａｘ、ＩＥＥＥ８０２．１５、および携帯電話ネットワークから成る群から選択される、第２の通信ネットワークへのリンクを確立するための手段をさらに備える、請求項５に記載のシステム。
【請求項９】
マルチモードユーザ端末（ＵＴ）であって、
ユーザ端末（ＵＴ）と第１の通信ネットワークとの間でリンクを確立するように構成された第１のサブシステムと、
前記第１の通信ネットワークとは異なるアクセスタイプかつ前記ＵＴがアクセス可能でない第２の通信ネットワークに対応する、少なくとも１つの識別子を検出するように構成された第２のサブシステムと、ここで、前記少なくとも１つの識別子は、前記第２の通信ネットワークの媒体アクセスコントロール（ＭＡＣ）アドレスを備える、
前記第１の通信ネットワークに接続されたネットワークアクセスパラメータを供給するためのインタフェースを有するパラメータサーバと
を備え、前記第１のサブシステムはさらに、前記ＵＴと前記第１の通信ネットワークとの間で確立された信頼に基づいて、前記ＵＴの識別を確認することと、前記第２の通信ネットワークに関し、前記第１の通信ネットワークを介して、前記第２の通信ネットワークの前記異なるアクセスタイプに対応するアクセスパラメータを、前記パラメータサーバからダウンロードすることであって、前記ＭＡＣアドレスを前記アクセスパラメータと相互参照するためのデータベースにアクセスすることにより、前記検出された少なくとも１つの識別子に基づいて、ダウンロードすることと、を行うように構成され、
前記第２のサブシステムはさらに、前記ダウンロードされたアクセスパラメータを使用して、前記ＵＴと前記第２の通信ネットワークとの間でリンクを確立するように構成される、マルチモードユーザ端末（ＵＴ）。
【請求項１０】
前記第１のサブシステムは、セキュリティキーと、サービスセット識別子（ＳＳＩＤ）と、トラヒックチャネル割り当てと、送信電力、受信電力、転送速度、サービス品質（ＱｏＳ）設定、有線同等プライバシー（ＷＥＰ）設定データ、および動作モードを含む最適化パラメータと、から成る群から選択される、前記第２の通信ネットワークに関するアクセスパラメータをダウンロードする、請求項９に記載のユーザ端末。
【請求項１１】
前記第１のサブシステムは、イーサネット、ＩＥＥＥ８０２．１１、ＩＥＥＥ８０２．１５、ブルートゥース、ＷｉＭａｘ、および携帯電話ネットワークから成る群から選択される、第１の通信ネットワークへのリンクを確立する、請求項９に記載のユーザ端末。
【請求項１２】
前記第２のサブシステムは、ＩＥＥＥ８０２．１１、ブルートゥース、ＷｉＭａｘ、ＩＥＥＥ８０２．１５、および携帯電話ネットワークから成る群から選択される、第２の通信ネットワークへのリンクを確立する、請求項９に記載のユーザ端末。
【請求項１３】
コンピュータプログラムを記憶したコンピュータ読取可能な媒体であって、前記コンピュータプログラムの実行は、
ユーザ端末（ＵＴ）と第１の通信ネットワークとの間でリンクを確立することと、
前記第１の通信ネットワークとは異なるアクセスタイプかつ前記ＵＴがアクセス可能でない第２の通信ネットワークに対応する、少なくとも１つの識別子を検出することと、ここで、前記少なくとも１つの識別子は、前記第２の通信ネットワークの媒体アクセスコントロール（ＭＡＣ）アドレスを備える、
前記ＵＴと前記第１の通信ネットワークとの間で確立された信頼に基づいて、前記ＵＴの識別を確認することと、
第２の通信ネットワークに関し、前記第１の通信ネットワークを介して、前記第２の通信ネットワークの前記異なるアクセスタイプに対応するアクセスパラメータを、パラメータサーバからダウンロードすることであって、前記ＭＡＣアドレスを前記アクセスパラメータと相互参照するためのデータベースにアクセスすることにより、前記検出された少なくとも１つの識別子に基づいて、ダウンロードすることと、
前記ダウンロードされたアクセスパラメータを使用して、前記ＵＴと前記第２の通信ネットワークとの間でリンクを確立することと
のためのものである、コンピュータ読取可能な媒体。
【請求項１４】
前記第２の通信ネットワークに関しアクセスパラメータをダウンロードすることは、セキュリティキーと、サービスセット識別子（ＳＳＩＤ）と、トラヒックチャネル割り当てと、有線同等プライバシー（ＷＥＰ）設定データと、送信電力、受信電力、転送速度、サービス品質（ＱｏＳ）設定、および動作モードを含む最適化パラメータと、から成る群から選択される情報をダウンロードすることを含む、請求項１３に記載のコンピュータ読取可能な媒体。
【請求項１５】
前記ＵＴと前記第１の通信ネットワークとの間で前記リンクを確立することは、イーサネット、ＩＥＥＥ８０２．１１、ＩＥＥＥ８０２．１５、ブルートゥース、ＷｉＭａｘ、および携帯電話ネットワークから成る群から選択される、第１の通信ネットワークへのリンクを確立することを含む、請求項１３に記載のコンピュータ読取可能な媒体。
【請求項１６】
前記ＵＴと前記第２の通信ネットワークとの間で前記リンクを確立することは、ＩＥＥＥ８０２．１１、ブルートゥース、ＷｉＭａｘ、ＩＥＥＥ８０２．１５、および携帯電話ネットワークから成る群から選択される、第２の通信ネットワークへのリンクを確立することを含む、請求項１３に記載のコンピュータ読取可能な媒体。
【外国語明細書】
2014096801000001.pdf